【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
少なくとも１つのサーバを備える位置ネットワークセンタを動作させる方法であって、
複数の非同期送信機又は疎同期送信機に対応するタイミングエラーデータを他の位置ネットワーク受信機と同期している少なくとも１つの位置ネットワーク受信機から前記位置ネットワークセンタにおいて受信するステップと、
前記タイミングエラーデータを前記少なくとも１つの位置ネットワーク受信機から前記位置ネットワークセンタにおいて受信した後に、前記複数の非同期送信機又は疎同期送信機による複数のタイミングエラーを示すデータを、前記複数の非同期送信機又は疎同期送信機から信号を受信する無線ユーザデバイスに、前記位置ネットワークセンタから、送信するステップと
を含む、方法。
【請求項２】
前記複数の非同期送信機又は疎同期送信機のうちの第１の送信機及び第２の送信機は、それぞれ異なるサービスプロバイダによって運用される無線ネットワークと関連付けられ、
前記複数のタイミングエラーを示す前記データを送信するステップは、
前記複数の非同期送信機又は疎同期送信機のうちの前記第１の送信機及び前記第２の送信機に対応する複数のタイミングエラーを示すデータを、それぞれ前記異なるサービスプロバイダによって運用される前記無線ネットワークと関連付けられた前記複数の非同期送信機又は疎同期送信機のうちの前記第１の送信機及び前記第２の送信機から信号を受信する前記無線ユーザデバイスに送信するステップ
を含む、請求項１に記載の方法。
【請求項３】
前記複数の非同期送信機又は疎同期送信機のうちの第１の送信機及び第２の送信機は、単一のサービスプロバイダによって運用される無線ネットワーク内の異なるサイトと関連付けられ、
前記複数のタイミングエラーを示す前記データを送信するステップは、
前記複数の非同期送信機又は疎同期送信機のうちの前記第１の送信機及び前記第２の送信機に対応する複数のタイミングエラーを示すデータを、前記単一のサービスプロバイダによって運用される前記無線ネットワーク内の前記異なるサイトと関連付けられた前記複数の非同期送信機又は疎同期送信機のうちの前記第１の送信機及び前記第２の送信機から信号を受信する前記無線ユーザデバイスに送信するステップ
を含む、請求項１に記載の方法。
【請求項４】
前記タイミングエラーデータは、前記複数の非同期送信機又は疎同期送信機による前記複数のタイミングエラーを示し、
前記タイミングエラーデータを受信するステップは、
前記複数の非同期送信機又は疎同期送信機による前記複数のタイミングエラーを示す前記タイミングエラーデータを前記少なくとも１つの位置ネットワーク受信機から受信するステップ
を含む、請求項１に記載の方法。
【請求項５】
前記タイミングエラーデータは、前記複数の非同期送信機又は疎同期送信機によって送信された、前記複数のタイミングエラーを有する未処理の信号を含み、
該方法は、
前記複数の非同期送信機又は疎同期送信機によって送信されて、前記少なくとも１つの位置ネットワーク受信機から前記位置ネットワークセンタにおいて受信された前記未処理の信号を用いて前記複数のタイミングエラーを計算するステップ
を更に含む、請求項１に記載の方法。
【請求項６】
前記複数のタイミングエラーを計算するステップは、
前記複数の非同期送信機又は疎同期送信機の正確なロケーションに関係なく、前記位置ネットワークセンタにおいて前記複数のタイミングエラーを計算するステップ
を含む、請求項５に記載の方法。
【請求項７】
前記複数の非同期送信機又は疎同期送信機からの前記信号のそれぞれを有する前記複数のタイミングエラーを示す前記データを用いることによって、前記複数の非同期送信機又は疎同期送信機を実質上同期させるステップを更に含む、請求項１に記載の方法。
【請求項８】
前記複数の非同期送信機又は疎同期送信機からの前記信号が同じフレームに属さないと判断したことに応答してフレーム調整を行うステップを更に含む、請求項１に記載の方法。
【請求項９】
請求項１に記載の方法を実行するように構成されている、位置ネットワークセンタ。
【請求項１０】
他の位置ネットワーク受信機と同期して位置ネットワーク受信機を動作させる方法であって、該方法は、
複数の非同期送信機又は疎同期送信機から、前記他の位置ネットワーク受信機と同期している前記位置ネットワーク受信機において信号を受信するステップと、
前記複数の非同期送信機又は疎同期送信機に対応するタイミングエラーを計算するステップと、
前記タイミングエラーを示すタイミングエラーデータを、少なくとも１つのサーバを備える位置ネットワークセンタに送信するステップと
を含む、方法。
【請求項１１】
前記複数の非同期送信機又は疎同期送信機のうちの第１の送信機及び第２の送信機は、それぞれ異なるサービスプロバイダによって運用される無線ネットワークと関連付けられ、
前記信号を受信するステップは、
それぞれ前記異なるサービスプロバイダによって運用される前記無線ネットワークと関連付けられた前記複数の非同期送信機又は疎同期送信機のうちの前記第１の送信機及び前記第２の送信機から信号を受信するステップ
を含む、請求項１０に記載の方法。
【請求項１２】
前記複数の非同期送信機又は疎同期送信機のうちの第１の送信機及び第２の送信機は、単一のサービスプロバイダによって運用される無線ネットワーク内の異なるサイトと関連付けられ、
前記信号を受信するステップは、
前記単一のサービスプロバイダによって運用される前記無線ネットワーク内の前記異なるサイトと関連付けられた前記複数の非同期送信機又は疎同期送信機のうちの前記第１の送信機及び前記第２の送信機から信号を受信するステップ
を含む、請求項１０に記載の方法。
【請求項１３】
前記複数の非同期送信機又は疎同期送信機から受信された前記信号は、前記複数の非同期送信機又は疎同期送信機によって無線ユーザデバイスに送信された信号を含み、
前記信号を受信するステップは、
前記複数の非同期送信機又は疎同期送信機によって前記無線ユーザデバイスに送信された前記信号を前記複数の非同期送信機又は疎同期送信機から受信するステップ
を含む、請求項１０に記載の方法。
【請求項１４】
前記信号を受信するステップは、
前記複数の非同期送信機又は疎同期送信機によって前記無線ユーザデバイスに送信された信号を前記複数の非同期送信機又は疎同期送信機から絶えず又は周期的に受信するステップ
を含む、請求項１３に記載の方法。
【請求項１５】
前記タイミングエラーデータを送信するステップは、
前記タイミングエラーデータを前記位置ネットワークセンタに送信して前記タイミングエラーを補償し、前記無線ユーザデバイスの位置ロケーション決定を援助するステップ
を含む、請求項１３に記載の方法。
【請求項１６】
請求項１０に記載の方法を実行するように構成されている、位置ネットワークセンタ。
【請求項１７】
無線ユーザデバイスを動作させる方法であって、該方法は、
第１のネットワークの第１の非同期送信機又は第１の疎同期送信機から第１の信号を受信するステップと、
前記第１のネットワークとは異なる第２のネットワークの第２の非同期送信機又は第２の疎同期送信機から第２の信号を受信するステップと、
前記無線ユーザデバイスにおいて、前記第１のネットワークの前記第１の非同期送信機又は前記第１の疎同期送信機と前記第１のネットワークとは異なる前記第２のネットワークの前記第２の非同期送信機または前記第２の疎同期送信機との間での同期の欠如に対応するタイミングエラーデータを、少なくとも１つのサーバを備える位置ネットワークセンタから受信するステップと、
前記タイミングエラーデータを用い、前記第１のネットワークとは異なる前記第２のネットワークの前記第２の非同期送信機又は前記第２の疎同期送信機からの前記第２の信号を用いて、前記無線ユーザデバイスの位置ロケーションを求めるステップと
を含む、方法。
【請求項１８】
少なくとも１つの同期送信機から信号を受信するステップを更に含み、
前記無線ユーザデバイスの前記位置ロケーションを求めるステップは、前記タイミングエラーデータを用い、前記第１のネットワークとは異なる前記第２のネットワークの前記第２の非同期送信機又は前記第２の疎同期送信機からの前記第２の信号を用い、前記少なくとも１つの同期送信機からの前記信号を用いて、前記無線ユーザデバイスの前記位置ロケーションを求めるステップを含む、請求項１７に記載の方法。
【請求項１９】
前記少なくとも１つの同期送信機は、地上ビーコンネットワークの少なくとも１つのビーコンを含み、
前記無線ユーザデバイスの前記位置ロケーションを求めるステップは、
前記タイミングエラーデータを用い、前記第１のネットワークとは異なる前記第２のネットワークの前記第２の非同期送信機又は前記第２の疎同期送信機からの前記第２の信号を用い、前記地上ビーコンネットワークの前記少なくとも１つのビーコンからの前記信号を用いて、前記無線ユーザデバイスの前記位置ロケーションを求めるステップ
を含む、請求項１８に記載の方法。
【請求項２０】
第３の非同期送信機又は第３の疎同期送信機から第３の信号を受信するステップを更に含み、
前記タイミングエラーデータは、第１のタイミングエラーデータを含み、
該方法は、前記第２の非同期送信機又は前記第２の疎同期送信機に対応する第２のタイミングエラーデータ及び、前記第３の非同期送信機又は前記第３の疎同期送信機に対応する第３のタイミングエラーデータを前記位置ネットワークセンタから受信するステップを更に含み、
前記無線ユーザデバイスの前記位置ロケーションを求めるステップは、前記第１の非同期送信機又は前記第１の疎同期送信機に対応する前記第１のタイミングエラーデータと、前記第２の非同期送信機又は前記第２の疎同期送信機に対応する前記第２のタイミングエラーデータと、前記第３の非同期送信機又は前記第３の疎同期送信機に対応する前記第３のタイミングエラーデータとを用いて、前記無線ユーザデバイスの前記位置ロケーションを求めるステップを含む、請求項１７に記載の方法。
【請求項２１】
前記第２の信号及び前記第３の信号を受信するステップは、
同じ周波数帯域において異なるそれぞれの周波数及び／又は標準規格を用いるか、又は異なるそれぞれの周波数帯域を用いて、前記第２の非同期送信機又は前記第２の疎同期送信機からの前記第２の信号と、前記第３の非同期送信機又は前記第３の疎同期送信機からの前記第３の信号とを受信するステップ
を含む、請求項２０に記載の方法。
【請求項２２】
前記第１の非同期送信機又は前記第１の疎同期送信機から受信された前記第１の信号は、位置ネットワーク受信機によって前記第１の非同期送信機又は前記第１の疎同期送信機から受信された信号を含み、
前記第１の信号を受信するステップは、
前記位置ネットワーク受信機によって前記第１の非同期送信機又は前記第１の疎同期送信機から受信された前記第１の信号を前記第１の非同期送信機又は前記第１の疎同期送信機から受信するステップ
を含む、請求項１７に記載の方法。
【請求項２３】
前記無線ユーザデバイスの前記位置ロケーションを求めるステップは、
前記タイミングエラーデータを前記第１の非同期送信機又は前記第１の疎同期送信機から受信された前記第１の信号とともに用いることによって、前記第１の非同期送信機又は前記第１の疎同期送信機を実質上同期させるステップ
を含む、請求項１７に記載の方法。
【請求項２４】
請求項１７に記載の方法を実行するように構成されている、無線ユーザデバイス。 
【手続補正２】
【補正対象書類名】明細書
【補正対象項目名】００４８
【補正方法】変更
【補正の内容】
【００４８】
図面及び明細書に、本発明の概念の例示的な実施形態が開示されている。特定の用語が
使用されているが、それらの用語は、一般的かつ説明的な意味でのみ用いられ、限定の目
的では用いられていない。本発明の概念の範囲は、この後に続く特許請求の範囲に規定さ
れている。
［実施形態例］
［実施形態１］
少なくとも１つのサーバを備える位置ネットワークセンタを動作させる方法であって、
複数の非同期送信機又は疎同期送信機に対応するタイミングエラーデータを少なくとも１つの位置ネットワーク受信機から前記位置ネットワークセンタにおいて受信するステップと、
前記タイミングエラーデータを前記少なくとも１つの位置ネットワーク受信機から前記位置ネットワークセンタにおいて受信した後に、前記複数の非同期送信機又は疎同期送信機による複数のタイミングエラーを示すデータを、前記複数の非同期送信機又は疎同期送信機から信号を受信する無線ユーザデバイスに、前記位置ネットワークセンタから、送信するステップと、
を含む、少なくとも１つのサーバを備える位置ネットワークセンタを動作させる方法。
［実施形態２］
前記複数の非同期送信機又は疎同期送信機のうちの第１の送信機及び第２の送信機は、それぞれ異なるサービスプロバイダによって運用される無線ネットワークと関連付けられ、
前記複数のタイミングエラーを示す前記データを送信するステップは、
前記複数の非同期送信機又は疎同期送信機のうちの前記第１の送信機及び前記第２の送信機に対応する複数のタイミングエラーを示すデータを、それぞれ前記異なるサービスプロバイダによって運用される前記無線ネットワークと関連付けられた前記複数の非同期送信機又は疎同期送信機のうちの前記第１の送信機及び前記第２の送信機から信号を受信する前記無線ユーザデバイスに送信するステップ、
を含む、実施形態１に記載の方法。
［実施形態３］
前記複数の非同期送信機又は疎同期送信機のうちの第１の送信機及び第２の送信機は、単一のサービスプロバイダによって運用される無線ネットワーク内の異なるサイトと関連付けられ、
前記複数のタイミングエラーを示す前記データを送信するステップは、
前記複数の非同期送信機又は疎同期送信機のうちの前記第１の送信機及び前記第２の送信機に対応する複数のタイミングエラーを示すデータを、前記単一のサービスプロバイダによって運用される前記無線ネットワーク内の前記異なるサイトと関連付けられた前記複数の非同期送信機又は疎同期送信機のうちの前記第１の送信機及び前記第２の送信機から信号を受信する前記無線ユーザデバイスに送信するステップ、
を含む、実施形態１に記載の方法。
［実施形態４］
前記少なくとも１つの位置ネットワーク受信機は、他の位置ネットワーク受信機と同期しており、
前記タイミングエラーデータを受信するステップは、
前記複数の非同期送信機又は疎同期送信機に対応する前記タイミングエラーデータを、前記他の位置ネットワーク受信機と同期している前記少なくとも１つの位置ネットワーク受信機から受信するステップ、
を含む、実施形態１に記載の方法。
［実施形態５］
前記タイミングエラーデータは、前記複数の非同期送信機又は疎同期送信機による前記複数のタイミングエラーを示し、
前記タイミングエラーデータを受信するステップは、
前記複数の非同期送信機又は疎同期送信機による前記複数のタイミングエラーを示す前記タイミングエラーデータを前記少なくとも１つの位置ネットワーク受信機から受信するステップ、
を含む、実施形態１に記載の方法。
［実施形態６］
前記タイミングエラーデータは、前記複数の非同期送信機又は疎同期送信機によって送信された、前記複数のタイミングエラーを有する未処理の信号を含み、
該方法は、
前記複数の非同期送信機又は疎同期送信機によって送信されて、前記少なくとも１つの位置ネットワーク受信機から前記位置ネットワークセンタにおいて受信された前記未処理の信号を用いて前記複数のタイミングエラーを計算するステップ、
を更に含む、実施形態１に記載の方法。
［実施形態７］
前記複数のタイミングエラーを計算するステップは、
前記複数の非同期送信機又は疎同期送信機の正確なロケーションに関係なく、前記位置ネットワークセンタにおいて前記複数のタイミングエラーを計算するステップ、
を含む、実施形態６に記載の方法。
［実施形態８］
前記複数の非同期送信機又は疎同期送信機からの前記信号のそれぞれを有する前記複数のタイミングエラーを示す前記データを用いることによって、前記複数の非同期送信機又は疎同期送信機を実質上同期させるステップを更に含む、実施形態１に記載の方法。
［実施形態９］
前記複数の非同期送信機又は疎同期送信機からの前記信号が同じフレームに属さないと判断したことに応答してフレーム調整を行うステップを更に含む、実施形態１に記載の方法。
［実施形態１０］
実施形態１に記載の方法を実行するように構成されている、位置ネットワークセンタ。
［実施形態１１］
複数の非同期送信機又は疎同期送信機から信号を受信するステップと、
前記複数の非同期送信機又は疎同期送信機に対応するタイミングエラーを計算するステップと、
前記タイミングエラーを示すタイミングエラーデータを、少なくとも１つのサーバを備える位置ネットワークセンタに送信するステップと、
を含む、位置ネットワーク受信機を動作させる方法。
［実施形態１２］
前記複数の非同期送信機又は疎同期送信機のうちの第１の送信機及び第２の送信機は、それぞれ異なるサービスプロバイダによって運用される無線ネットワークと関連付けられ、
前記信号を受信するステップは、
それぞれ前記異なるサービスプロバイダによって運用される前記無線ネットワークと関連付けられた前記複数の非同期送信機又は疎同期送信機のうちの前記第１の送信機及び前記第２の送信機から信号を受信するステップ、
を含む、実施形態１１に記載の方法。
［実施形態１３］
前記複数の非同期送信機又は疎同期送信機のうちの第１の送信機及び第２の送信機は、単一のサービスプロバイダによって運用される無線ネットワーク内の異なるサイトと関連付けられ、
前記信号を受信するステップは、
前記単一のサービスプロバイダによって運用される前記無線ネットワーク内の前記異なるサイトと関連付けられた前記複数の非同期送信機又は疎同期送信機のうちの前記第１の送信機及び前記第２の送信機から信号を受信するステップ、
を含む、実施形態１１に記載の方法。
［実施形態１４］
前記位置ネットワーク受信機は、他の位置ネットワーク受信機と同期しており、
前記信号を受信するステップは、
前記複数の非同期送信機又は疎同期送信機から、前記他の位置ネットワーク受信機と同期している前記位置ネットワーク受信機において前記信号を受信するステップ、
を含む、実施形態１１に記載の方法。
［実施形態１５］
前記複数の非同期送信機又は疎同期送信機から受信された前記信号は、前記複数の非同期送信機又は疎同期送信機によって無線ユーザデバイスに送信された信号を含み、
前記信号を受信するステップは、
前記複数の非同期送信機又は疎同期送信機によって前記無線ユーザデバイスに送信された前記信号を前記複数の非同期送信機又は疎同期送信機から受信するステップ、
を含む、実施形態１１に記載の方法。
［実施形態１６］
前記信号を受信するステップは、
前記複数の非同期送信機又は疎同期送信機によって前記無線ユーザデバイスに送信された信号を前記複数の非同期送信機又は疎同期送信機から絶えず又は周期的に受信するステップ、
を含む、実施形態１５に記載の方法。
［実施形態１７］
前記タイミングエラーデータを送信するステップは、
前記タイミングエラーデータを前記位置ネットワークセンタに送信して前記タイミングエラーを補償し、前記無線ユーザデバイスの位置ロケーション決定を援助するステップ、
を含む、実施形態１５に記載の方法。
［実施形態１８］
実施形態１１に記載の方法を実行するように構成されている、位置ネットワークセンタ。
［実施形態１９］
無線ユーザデバイスを動作させる方法であって、
非同期送信機又は疎同期送信機から信号を受信するステップと、
前記非同期送信機又は前記疎同期送信機に対応するタイミングエラーデータを、少なくとも１つのサーバを備える位置ネットワークセンタから受信するステップと、
前記非同期送信機又は前記疎同期送信機に対応する前記タイミングエラーデータを用いて、前記無線ユーザデバイスの位置ロケーションを求めるステップと、
を含む、無線ユーザデバイスを動作させる方法。
［実施形態２０］
少なくとも１つの同期送信機から信号を受信するステップを更に含み、
前記無線ユーザデバイスの前記位置ロケーションを求めるステップは、前記非同期送信機又は前記疎同期送信機に対応する前記タイミングエラーデータを用いるとともに前記少なくとも１つの同期送信機からの前記信号を用いて、前記無線ユーザデバイスの前記位置ロケーションを求めるステップを含む、実施形態１９に記載の方法。
［実施形態２１］
前記少なくとも１つの同期送信機は、地上ビーコンネットワークの少なくとも１つのビーコンを含み、
前記無線ユーザデバイスの前記位置ロケーションを求めるステップは、
前記非同期送信機又は前記疎同期送信機に対応する前記タイミングエラーデータを用いるとともに前記地上ビーコンネットワークの前記少なくとも１つのビーコンからの前記信号を用いて、前記無線ユーザデバイスの前記位置ロケーションを求めるステップ、
を含む、実施形態２０に記載の方法。
［実施形態２２］
前記非同期送信機又は前記疎同期送信機から前記信号を受信するステップは、第１の非同期送信機又は疎同期送信機から第１の信号を受信するステップを含み、
該方法は、第２の非同期送信機又は疎同期送信機及び第３の非同期送信機又は疎同期送信機からそれぞれ第２の信号及び第３の信号を受信するステップを更に含み、
前記タイミングエラーデータは、第１のタイミングエラーデータを含み、
該方法は、前記第２の非同期送信機又は疎同期送信機及び前記第３の非同期送信機又は疎同期送信機にそれぞれ対応する第２のタイミングエラーデータ及び第３のタイミングエラーデータを前記位置ネットワークセンタから受信するステップを更に含み、
前記無線ユーザデバイスの前記位置ロケーションを求めるステップは、前記第１の非同期送信機又は疎同期送信機、前記第２の非同期送信機又は疎同期送信機、及び前記第３の非同期送信機又は疎同期送信機にそれぞれ対応する前記第１のタイミングエラーデータ、前記第２のタイミングエラーデータ、及び前記第３のタイミングエラーデータを用いて、前記無線ユーザデバイスの前記位置ロケーションを求めるステップを含む、実施形態１９に記載の方法。
［実施形態２３］
前記第２の信号及び前記第３の信号を受信するステップは、
同じ周波数帯域において異なるそれぞれの周波数及び／又は標準規格を用いるか、又は異なるそれぞれの周波数帯域を用いて、前記第２の非同期送信機又は疎同期送信機及び前記第３の非同期送信機又は疎同期送信機からそれぞれ前記第２の信号及び前記第３の信号を受信するステップ、
を含む、実施形態２２に記載の方法。
［実施形態２４］
前記非同期送信機又は前記疎同期送信機から受信された前記信号は、位置ネットワーク受信機によって前記非同期送信機又は前記疎同期送信機から受信された信号を含み、
前記信号を受信するステップは、
前記位置ネットワーク受信機によって前記非同期送信機又は前記疎同期送信機から受信された前記信号を前記非同期送信機又は前記疎同期送信機から受信するステップ、
を含む、実施形態１９に記載の方法。
［実施形態２５］
前記無線ユーザデバイスの前記位置ロケーションを求めるステップは、
前記タイミングエラーデータを前記非同期送信機又は前記疎同期送信機から受信された前記信号とともに用いることによって、前記非同期送信機又は前記疎同期送信機を実質上同期させるステップ、
を含む、実施形態１９に記載の方法。
［実施形態２６］
実施形態１９に記載の方法を実行するように構成されている、無線ユーザデバイス。
【手続補正３】
【補正対象書類名】明細書
【補正対象項目名】発明の名称
【補正方法】変更
【補正の内容】
【発明の名称】方法、位置ネットワークセンタ、及び無線ユーザデバイス